(57)【特許請求の範囲】
【請求項１】
対向する一対の支持板（２）、（３）間の間隔が適宜に調節可能な支持枠台（１）と、
該支持枠台（１）における前記支持板（２）、（３）間に係止された伸縮可能な区分けスタンド体（２０）と、
該区分けスタンド体（２０）における年賀葉書（Ｐ）が起立状に挿入収納される各区分け部（２３）に対応して取り付けられた前記年賀葉書（Ｐ）の戸別住居標示プレート（３０）を備え、
前記区分けスタンド体（２０）は、所定太さのワイヤー（２１）をもって伸縮自在なスプリング状に巻回されて、各巻回部毎に前記年賀葉書（Ｐ）が起立状に挿入される前記区分け部（２３）が形成され、
前記戸別住居標示プレート（３０）は、前記区分けスタンド体（２０）が縮められたときに、互いの戸別住居標示プレート（３０）が重なり合うようにするため、前記区分けスタンド体（２０）の取り付け部位に対して１０度の角度をもって取り付けられ、
使用時においては、前記支持台（１）と共に伸長保持され、保管時においては、前記支持台（１）と共に縮小される構造を有することを特徴とする年賀葉書の区分整理箱。
【発明の詳細な説明】
【０００１】
【発明の属する技術分野】
本発明は、年賀葉書の区分整理箱に関し、更に詳しくは、郵便局において年賀状を細区分に仕分けするに用いられる区分整理箱に関するものである。
【０００２】
【従来の技術】
郵便局における年賀状の仕分けには大区分と細区分とがあって、大区分されたものを更に細区分するわけであるが、この細区分には、戸別毎に配達する道順に沿って年賀状を仕分けしていく。そのために用いられるものが俗にサオと称される整理箱である。この整理箱は数段の棚の上に置かれるもので、その整理箱の収納スペースに年賀状を戸別毎に配達する道順に沿って仕分け並べていくわけであるが、その仕分けの仕方は、道順に沿った各戸別毎に年賀状を輪ゴムで止めて置き、この輪ゴムで止められた年賀状を立てて並べていく方法である。
【０００３】
ところで、大区分から細区分するものが１回で済むような場合には、その方法でもよいが、年賀状のように仕分け量が多く、何回も細区分の作業をしなければならない場合においては、次の細区分毎に既に仕分けされた年賀状の輪ゴムを外し、各戸別毎にまとめて再度輪ゴムで止めてやらなければならず、その煩雑さと時間の浪費は大変なものであった。
【０００４】
【発明が解決しようとする課題】
そこで、本発明者は、伸縮可能な支持枠台と伸縮可能な区分けスタンド体を備えた区分整理箱を考案し、出願をした。
【０００５】
ところで、この出願に係る整理箱は、無駄で面倒な「組足し作業」を必要とせず、又、不使用等の保管時においては、全体が縮小されてコンパクト化され、保管スペースが少なくて済むという利点はあるも、別に用意された原簿（住所、氏名等の書かれたもの）を見ながらの区分けのために作業能率が悪く、又、誤区分の原因ともなる等の問題点があった。
【０００６】
本発明は、このような問題点に鑑みなされたもので、その目的とするところは、年賀葉書の戸別毎の区分け作業が速くなって、作業能率が向上するとともに、誤区分も減少する年賀葉書の区分整理箱を提供することにある。
【０００７】
【課題を解決するための手段】
この目的のため、請求項１に係る発明は、対向する一対の支持板２、３間の間隔が適宜に調節可能な支持枠台１と、該支持枠台１における前記支持板２、３間に係止された伸縮可能な区分けスタンド体２０と、該区分けスタンド体２０における年賀葉書Ｐが起立状に挿入収納される各区分け部２３に対応して取り付けられた前記年賀葉書Ｐの戸別住居標示プレート３０を備え、前記区分けスタンド体２０は、所定太さのワイヤー２１をもって伸縮自在なスプリング状に巻回されて、各巻回部毎に前記年賀葉書Ｐが起立状に挿入される前記区分け部２３が形成され、前記戸別住居標示プレート３０は、前記区分けスタンド体２０が縮められたときに、互いの戸別住居標示プレート３０が重なり合うようにするため、前記区分けスタンド体２０の取り付け部位に対して１０度の角度をもって取り付けられ、使用時においては、前記支持台１と共に伸長保持され、保管時においては、前記支持台１と共に縮小される構造を有することを特徴とするものである。
【００１３】
【発明の実施の形態】
本発明の実施の形態について図面を参照し、その作用と共に説明する。図１は本発明に係る年賀葉書の区分整理箱の一例での斜視図で、同図において、本区分整理箱は、支持枠台と区分けスタンド体、戸別住居標示プレートとを備えている。
【００１４】
支持枠台１は、図１から図３に例示されているように、相対向する一対の支持板２、３がその間隔を適宜に調節できるように連結されて構成されている。
【００１５】
支持板２、３は、年賀葉書Ｐの奥行きに相当する長さ（約１５〜１６cm）の幅を有し、かつその高さは約１５cm位になっている。
【００１６】
支持板２、３は、その背面側上部と底面側２箇所の計３箇所において伸縮可能として連結されている。連結箇所の構造について説明するが、３箇所における連結構造は同じであるため、背面側部分についてのみ説明し、底面側２箇所部分については符号を付すに止め、その説明は省略する。
【００１７】
一対の腕板４、５は、帯状板であって、その長さは伸長されての使用時における支持板２、３間の全長の約４分の１の長さに設定され、かつその長手方向の中央部には、複数のピン孔６、７が設けられ、腕板４、５はその一端部が支持板２、３の背面上端に固着されるとともに、腕板４、５の中央開口部背面側には連結板８が連結されている。
【００１８】
連結板８は、腕板４、５の長さの約２倍の長さを有する帯状板であって、その長手方向中央部には、その両端部を残して１条の長溝９が設けられ、連結板８は、その長溝９を通して設けられた連結ピン１０、１１を介して腕板４、５の自由端と連結され、腕板４、５が長溝９に沿いながらスライドして支持板２、３間が縮小されるようになっている。
【００１９】
連結板８の両端部には、バネ性を有する略Ｌ形状の係止ピン１２、１３の一端が固着され、自由端が腕板４、５の各ピン孔６、７に挿入されることによって、支持板２、３の拡開、又は縮小状態が保持されるようになっている。
【００２０】
なお、係止ピンとピン孔は左右対称に設けられているが、これはいずれか一方のみであってもよい。又、係止ピンとピン孔に代えて、特に図示しないが、各腕板と連結板との対接面部に互いに係合する突起部を設け、これら突起部の係合によって支持板２、３の拡開、又は縮小状態を保持するようにしてもよい。
【００２１】
支持枠台１に組み付けられる区分けスタンド体２０は、その全長が所定の太さを有する１本のワイヤー２１をもって伸縮自在な略四角形状のスプリング状に巻回されてバネ性を有する弾性体として形成されている。
【００２２】
更に説明すれば、区分けスタンド体２０は、支持枠台１における底面側連結部と接する底辺部２２が直線状にして、かつ各巻回部毎に年賀葉書Ｐが起立状に挿入収納される区分け部２３が形成された略同一の四角形に繰り返し巻回形成され、その終始端部２４（一方は図示せず）は互いに逆向きに形成されている。
【００２３】
そして、この区分けスタンド体２０は、その底辺部２２が底面側連結部上に載せられ、かつその終始端部２４が、支持板２、３の内側面に設けられた複数の掛止め具２５に引っ掛けられて支持板２、３間に組み付けられ、支持板２、３と共に伸縮可能となっている。
【００２４】
区分けスタンド体２０には、その区分け部２３に対応して年賀葉書Ｐの戸別住居標示プレート３０が取り付けられている。
【００２５】
戸別住居標示プレート３０は、区分けスタンド体２０における各区分け部２３に対する区分け作業の迅速性と誤区分の防止を目的としたもので、図４から図６に例示されているように、プレートホルダーと表示カード、カードカバーの三つの部材から構成されている。
【００２６】
プレートホルダー３１は、プラスチック等の硬質合成樹脂製であって、所定の長さと幅を有する縦長矩形状で、その背面側中央部の略中間下部には、下端までいっぱいに凹溝３２が設けられている。
【００２７】
表示カード３３は、厚紙等であって、プレートホルダー３１と略等大で、その面には住所（マンション名等も含む）、氏名（家族名を含む）、屋号等の必要な表示がされ、この表示カード３３は取替え可能となっている。
【００２８】
カードカバー３４は、透明なプラスチック等の樹脂製であって、断面略コ字形を呈している。
【００２９】
そして、プレートホルダー３１にカートドカバー３４が取り付けられ、プレートホルダー３１とカードカバー３４との間に表示カード３３が差し込まれて構成され、ホルダー３１の凹溝３２に区分けスタンド体２０のワイヤー２１の取付け部分が接着されて縦長起立状に取り付けられている。
【００３０】
なお、図１において、戸別住居標示プレートは、それらのものを代表するものとして、ただ一つのみが符号３０を付して明示されており、他の箇所にあるそれらの戸別住居標示プレートは図面の表示を簡潔にする目的で、図示を省略してある。
【００３１】
このようにして、戸別住居表示プレート３０は区分けスタンド体２０に取り付けられるが、図７及び図８に示されているように、区分けスタンド体２０が縮められたときに、互いの戸別住居表示プレート３０が重なり合うようにするため、各戸別住居標示プレート３０は区分けスタンド体２０の取り付け部位であるワイヤー２１に対して角度θ（１０度）をもって取り付けられている。
【００３２】
又、図示の実施の形態においては、戸別住居標示プレート３０は、区分けスタンド体２０の各区分け部２３に対応してその前面（起立状ワイヤー部分）に取り付けられているが、戸別住居標示プレート３０の取り付け部位は限定されず、特に図示しないが、区分けスタンド体２０を形成しているワイヤー２１の上辺部や背面の起立部分に取り付けても良いことは勿論である。この場合においても、角度θ（１０度）をもって取り付けられることは同様である。
【００３３】
又、戸別住居標示プレート３０の取り付けは、ワイヤー２１に直接に接着固定することなく、特に図示しないが、バネ棒等の可撓性部材を介して取り付け、この可撓性部材の曲げを介して戸別住居標示プレートが起立状態から前方に倒れるようにすれば、後述の区分け作業が終了して、本区分整理箱を多段状の整理棚に収める場合に、戸別住居標示プレートが邪魔になることなく収めることができる。
【００３４】
このように構成された区分整理箱は、年賀葉書Ｐに書かれた住所、氏名等と戸別住居標示プレート３０における表示カード３３に表示の住所、氏名等とが対比されて、該当する表示のされた区分けスタンド体２０の区分け部２３に年賀葉書Ｐが起立状に挿入収納されて区分けされ、作業終了においては、各区分け部２３に年賀葉書Ｐが収納されている状態で区分けスタンド体２０は、支持枠台１と一体的に縮小されて全体がコンパクト化されて、別に用意された整理棚に整理保管される。
【００３５】
本区分整理箱の変形は可能であり、図９から図１４に他の実施の形態が示されている。本実施の形態は、支持枠台の構造にあり、一部を省略して示す図８の平面図と図１０の側面図において、支持枠台４０は、一対の固定支持板と可動支持板等を含んでいる。
【００３６】
一対のブロック状の固定支持板４１、４２間の中央部の下部には、所定の長さと幅を有する区分けスタンド体２０の載置板４３の両端が固定され、該載置板４３の上面には適宜の間隔で多数の間隔調節ブロック４４が固着されている。
【００３７】
又、固定支持板４１、４２間の左右両端には、載置板４３と略同一のレベル位置で２本のガイド棒４５、４６が自由回転可能として連結され、これら２本のガイド棒４５、４６に沿って可動支持板４７が往復動するようになっている。
【００３８】
可動支持板４７は、図１１及び図１２に示されているように、載置板４３と間隔調節ブロック４４が素通りできる切欠部４８を有し、かつ上端中央部から切欠部４８までの縦方向に亘って上下開口の矩形状溝４９が設けられ、該可動支持板４７は、固定支持板４１、４２の間において、２本のガイド棒４５、４６に挿通されて設けられている。
【００３９】
可動支持板４７における矩形状溝４９内には、ストッパー板５０が落し込まれ、可動支持板４７が２本のガイド棒４５、４６に沿いスライド移動し、ストッパー板５０が落とし込まれることにより、該ストッパー板５０の下端と間隔調節ブロック４４が係合して、可動支持板４７のそれ以上の移動が規制されるようになっている。
【００４０】
このように構成された支持枠台４０と区分けスタンド体２０とにより年賀葉書を区分整理するには、図１３及び図１４に例示されているように、両端に止め具５２、５３を有する所定長さのベルト５１の略中間部が区分けスタンド体２０におけるワイヤー２１の上辺部に起立状に掛着されて逆Ｕ字状の把捉部５４が設けられた状態でベルト５１上に区分けスタンド体２０が載り、この状態で支持枠台４０における固定支持板４１と可動支持板４７間の間隔調節ブロック４４上に置かれ、かつ固定支持板４１と可動支持板４７のそれぞれ相対向する内側面の左右両端に設けられた掛止め具５５、５６に、区分けスタンド対２０の終始端部２４の上辺部のワイヤー部分が引っ掛けられて区分けスタンド体２０はセットされる。
【００４１】
なお、この場合において、特に図示しないが、区分けスタンド体２０には各区分け部２３に対応して、前記実施の形態の場合と同様に戸別住居標示プレート３０が設けられていることは勿論である。
【００４２】
支持枠台４０にベルト５１と共に区分けスタンド体２０がセットされた状態において、年賀葉書Ｐに書かれた住所、氏名等と戸別住居標示プレート３０における表示カード３３に表示の住所、氏名等とが対比されて、該当する表示のされた区分けスタンド体２０の区分け部２３に年賀葉書Ｐが起立状に挿入収納されて区分けされる。
【００４３】
区分け作業が終了すると、各区分け部２３に年賀葉書Ｐが収納されている状態で区分けスタンド体２０は固定支持板４１と可動支持板４７の掛止め具５５、５６から外され、次いで、区分けスタンド体２０の全体はベルト５１で把捉されて掛止め具５２、５３で掛着され、全体が縮小コンパクト化されて、そのままの状態で２本のガイド棒４５、４６上をこれと直交方向に移動せられると、２本のガイド棒４５、４６の回転によって容易に移動し、別に用意された整理箱に移されて整理棚に整理保管される。
【００４４】
なお、ベルト５１の把捉部５４は１箇所としたが、２箇所以上に分散させれば、より把捉束を小さくして年賀葉書の移動をより容易に行うことができる。
【００４５】
又、前記いずれの実施の形態においても、区分けスタンド体２０はワイヤー２１をもって形成されているが、この区分けスタンド体は、複数の方形状の仕切板が所定の間隔で、かつ背面側と底面側においてスプリング、ゴム等の弾性部材で相互に伸縮可能に縫着されて構成されたものであってもよい。
【００４６】
又、前記実施の形態におけるワイヤー製の区分けスタンド体２０にあっては、各区分け部２３の背面側上部と正面側下部を紐等の棒状部材で連結してもよい。
【００４７】
【発明の効果】
しかして、本発明によれば、区分けスタンド体におれる各区分け部に対応して戸別住居標示プレートが設けられているから、作業者は年賀葉書の住所、氏名等の表示と対比してこれと同じ戸別住居標示プレートの設けられている区分け部に直接区分するため、区分け作業は速くなって作業能率が向上し、又、誤区分も著しく減少する。
【００４８】
又、区分けスタンド体に戸別住居標示プレートが設けられているために、年賀状のない家が一目で分かり、担当者は配達前に年賀状の元日配達状況を把握することで誤配を減らし、更に、元日の配達状況を把握することで、お客様に対し自信を持って良心的な対応ができる。
【００４９】
又、本発明によれば、支持枠台と区分けスタンド体は伸縮可能な構造となっているから、区分するに必要なスペースが確保できて、そのままで従来における戸別組立箱になり、縮めた場合には、年賀状の一通も来ない家から何百通も来る家まで、バラツキがあっても対応でき、かつそのままの縮小状態で整理箱に入る保管箱になる。
【００５０】
又、戸別住居標示プレートにおける表示カードは、抜き差し交換可能な構造となっているから、転居等の際には、表示カードの変更が簡単にでき、至便である。
【００５１】
又、区分けの終わった区分けスタンド体をベルトで把捉して、これをそのまま整理箱に保管すれば、支持枠台はこれを次の区分けにおける支持枠台として再度用いることができ、一台の支持枠台で次々に年賀葉書の区分け整理ができる。
【図面の簡単な説明】
【図１】本発明に係る年賀葉書の区分整理箱の一例での斜視図である。
【図２】支持枠台における伸縮連結構造の部分的拡大断面図である。
【図３】支持枠台における伸縮連結構造の部分的拡大平面図である。
【図４】戸別住居標示プレートの正面図である。
【図５】図４の中央縦断面図である。
【図６】図４の拡大横断面図である。
【図７】戸別住居標示プレートの重なり状態の線図的部分説明図である。
【図８】戸別住居標示プレートの取り付け角度の説明図である。
【図９】支持枠台の他の実施の形態を示す一部省略の概略平面図である。
【図１０】図９の側面図である。
【図１１】図９及び図１０における可動支持板の部分を示す一部省略の正面図である。
【図１２】図１１の縦断面図である。
【図１３】区分けスタンド体とベルトとの関係を示す一部省略の斜視図である。
【図１４】図１３におけるベルト把捉部を示す一部省略の拡大断面図である。
【符号の説明】
１、４０    支持枠台
２、３    支持板
４、５    腕板
６、７    ピン孔
８    連結板
９    長溝
１０、１１    連結ピン
１２、１３    係止ピン
２０    区分けスタンド体
２１    ワイヤー
２３    区分け部
２４    終始端部
３０    戸別住居標示プレート
３１    プレートホルダー
３２    凹溝
３３    表示カード
３４    カードカバー
４１、４２    固定支持板
４３    載置板
４４    区間調節ブロック
４５、４６    ガイド棒
４７    可動支持板
４８    切欠部
４９    矩形状溝
５０    ストッパー板
５１    ベルト
５２、５３    止め具
５４    ベルト把捉部
５５、５６    掛止め具
Ｐ    年賀葉書
【図１】
0004021659.tif 000002
【図２】
0004021659.tif 000003
【図３】
0004021659.tif 000004
【図４】
0004021659.tif 000005
【図５】
0004021659.tif 000006
【図６】
0004021659.tif 000007
【図７】
0004021659.tif 000008
【図８】
0004021659.tif 000009
【図９】
0004021659.tif 000010
【図１０】
0004021659.tif 000011
【図１１】
0004021659.tif 000012
【図１２】
0004021659.tif 000013
【図１３】
0004021659.tif 000014
【図１４】
0004021659.tif 000015